(57)【要約】【課題】  コンタクトレンズ常用者が正確な度数の眼鏡をかけた場合でも、近距離視の場合に違和感を覚えない眼鏡用レンズを提供する。【解決手段】  累進面を備えたレンズの累進面を使用して、近距離視に使用される部分に、前記コンタクトレンズ使用時と前記眼鏡使用時の調節と輻輳のバランスの狂い具合を調節するための度数の加入を行う。【選択図】  図１
2007101915.tif 000002
【特許請求の範囲】
【請求項１】
コンタクトレンズ常用者が、コンタクトレンズの代替品として使用する眼鏡用の眼鏡レンズであって、非対称非球面を持った累進面を備え、前記コンタクトレンズ使用時と前記眼鏡使用時の調節と輻輳のバランスの狂い具合を調節するための度数の加入が、前記累進面を使用して行われていることを特徴とする眼鏡レンズ。
【請求項２】
請求項１に記載の眼鏡レンズであって、前記累進面を使用して行われる度数の加入度が、以下の（１）、（２）、（３）式で決定される最適度数加入度（Ａｄｄ）の-10％〜+60％であることを特徴とする眼鏡レンズ。
【数１】
2007101915.tif 000020
ただし、ｌは注視距離，ａは、眼球の表面より両眼の視線の交差する点までの距離、ｖはレンズ角膜頂点距離、ｒは眼球の曲率半径、Ｄはレンズの屈折力（基本度数）、Ａは両眼の視線が交差する点を焦点距離とするレンズの屈折力であり、距離の単位はｃｍ、度数（屈折力）の単位はディオプトリである。
【請求項３】
請求項１に記載の眼鏡レンズであって、前記累進面を使用して行われる度数の加入度（Ａｄ）が、以下の（４）、（５）式で決定される範囲にあることを特徴とする眼鏡レンズ。
【数２】
2007101915.tif 000021
ただし、ｌは注視距離、ｖはレンズ角膜頂点距離、ｒは眼球の曲率半径、Ｄはレンズの屈折力（基本度数）、Ａは両眼の視線が交差する点を焦点距離とするレンズの屈折力であり、距離の単位はｃｍ、度数（屈折力）の単位はディオプトリである。
【請求項４】
請求項１から請求項３のうちいずれか１項に記載の眼鏡レンズであって、前記累進面は、累進帯長が１２mm以下であることを特徴とする眼鏡レンズ。
【発明の詳細な説明】
【技術分野】
【０００１】
本発明は、眼鏡レンズに関するものである。
【背景技術】
【０００２】
近年、使い捨てコンタクトレンズの登場により、若者を中心にコンタクトレンズ使用者が急増している。これらの使用者たちは、眼に異常を感じた時や眼を休ませる時のために、眼鏡も持っているのが一般的である。
【発明の開示】
【発明が解決しようとする課題】
【０００３】
これらコンタクトレンズ常用者のうち、良好な視力を与えることができる眼鏡を掛けているのは少数派で、大概は少し弱めの度数で視力低下を我慢して使用している。その理由は、メガネで良好な遠方視力を求めると、近方視に「強い違和感」を感じ、常用するメガネとしては掛けづらいからである。この「強い違和感」は、同じ目的距離に近方視をする場合でも、要求される眼の輻輳量がコンタクトレンズとメガネでは異なることが原因である。
【０００４】
すなわち、コンタクトレンズの場合には単純に距離に応じた輻輳量だけであるが、メガネの場合にはレンズのプリズム作用が働き、その分だけ輻輳量がずれることになる。このずれ量を補正するために、融通性輻輳作用と称する目の働きが起こるが、脳の慣れが追いつかないことに問題があり、また、メガネの度数が強くなるほど、そのずれ量も大きくなり違和感も強くなるので、使用者にとっては非常に不便であった。
【０００５】
本発明はこのような事情に鑑みてなされたものであり、コンタクトレンズ常用者が正確な度数の眼鏡をかけた場合でも、近距離視の場合に違和感を覚えない眼鏡用レンズを提供することを課題とする。
【課題を解決するための手段】
【０００６】
前記課題を解決するための第１の手段は、コンタクトレンズ常用者が、コンタクトレンズの代替品として使用する眼鏡用の眼鏡レンズであって、非対称非球面を持った累進面を備え、前記コンタクトレンズ使用時と前記眼鏡使用時の調節と輻輳のバランスの狂い具合を調節するための度数の加入が前記累進面を使用して行われていることを特徴とする眼鏡レンズである。
【０００７】
前記課題を解決するための第２の手段は、前記第１の手段の眼鏡レンズであって、前記累進面を使用して行われる度数の加入度が、以下の（１）、（２）、（３）式で決定される最適度数加入度（Ａｄｄ）の-10％〜+60％であることを特徴とするものである。
【０００８】
【数１】
2007101915.tif 000003
【０００９】
ただし、ｌは注視距離，ａは、眼球の表面より両眼の視線の交差する点までの距離、ｖはレンズ角膜頂点距離、ｒは眼球の曲率半径、Ｄはレンズの屈折力（基本度数）、Ａは両眼の視線が交差する点を焦点距離とするレンズの屈折力であり、距離の単位はｃｍ、度数（屈折力）の単位はディオプトリである。
【００１０】
前記課題を解決するための第２の手段は、前記第１の手段の眼鏡レンズであって、前記累進面を使用して行われる度数の加入度（Ａｄ）が、以下の（４）、（５）式で決定される範囲にあることを特徴とするものである。
【００１１】
【数２】
2007101915.tif 000004
【００１２】
ただし、ｌは注視距離、ｖはレンズ角膜頂点距離、ｒは眼球の曲率半径、Ｄはレンズの屈折力（基本度数）、Ａは両眼の視線が交差する点を焦点距離とするレンズの屈折力であり、距離の単位はｃｍ、度数（屈折力）の単位はディオプトリである。
【００１３】
前記課題を解決するための第４の手段は、前記第１の手段から第３の手段のいずれかの眼鏡レンズであって、前記累進面は、累進帯長が１２mm以下であることを特徴とするものである。
【発明の効果】
【００１４】
本発明によれば、コンタクトレンズ常用者が正確な度数の眼鏡をかけた場合でも、近距離視の場合に違和感を覚えない眼鏡用レンズを提供することができる。
【発明を実施するための最良の形態】
【００１５】
以下、本発明の実施の形態の例を、図を用いて説明する。図１は、コンタクトレンズ常用者が、コンタクトレンズと同じ度数の眼鏡を使用して近くの点Ａを注視している場合の光線等の関係を示す図である。図において、ＩＲは右目、ＩＬは左目、ＬＲは右目レンズ、ＬＬは左目レンズである。図は、左右の目の中央の軸Ｘ−Ｘ’に対して対象であるので、以下の検討においては、左目のみについて検討を行う。なお、Ｙ−Ｙ’は、右目が正面を向いたときの中心軸、Ｚ−Ｚ’は左目が正面を向いたときの中心軸である。
【００１６】
今、使用者が点Ａを注視するとき、コンタクトレンズ常用者の場合は、視線はＡに向かう。しかしながら、Ａから発して左目ＩＬの中心Ｏに到る主光線は、左目レンズＬＬのプリズム作用により屈折され、折れ線ＡＰＯに沿って、左目ＩＬの中心に到る。よって、左目で見たＡの位置が、ＯＰの延長線とＸ−Ｘ’の交点Ａ’にあることになり、距離ＯＡとＯＡ’が違うので、ＯＡ’に合わせた焦点距離の調節が必要となってくる。一方、眼球の輻輳は、Ａ点で起こるので、両者の間のバランスがとれなくなってくる。コンタクトレンズを使用しない眼鏡の常用者は、これらの問題に慣れているため、Ａ点を注視するときは、はじめからＡ’点の方向に眼球が向くようになっている。よって、上記のような問題は発生しない。
【００１７】
発明者らは、このようなコンタクトレンズ常用者に特有な問題を解決するためには、眼鏡レンズに累進面を使用して度数加入を行い、Ａ’点に形成される像をＡ点にまで近づけてやれば、使用者が、通常遠くを見ているときは、累進面が使用されないので、正常な矯正力をもったレンズとして働き、近くを見るときは、累進面を使用して加入された度数により、Ａ’点に形成される像がＡ点にまで近づき、調整と輻輳の問題が解決されることに注目した。累進面を使用したレンズは、境目のない遠近両用レンズとして多用されており、境目がないので、使用感を悪くすることがない。
【００１８】
次に、どの程度の度数を加入すればよいかを考察したので、それについて説明する。図１において、Ｑは、ＸＡに垂直な線とＯＡ’徒の交点であり、図１、及び以下の計算式において、その他の記号は、以下のようなものである。距離の単位はｃｍ、屈折力（度数）の単位はディオプトリである。
ｌ：注視距離、ａ：両眼の視線の交差する距離、ｖ：レンズ角膜頂点距離、ｒ：眼球の曲率半径、ｄ：片眼ＰＤ、ｈ：視線の通過点とレンズの光学中心の距離、ｉ：視線の内寄せ幅、ｘ：レンズのプリズム効果による寄り幅、α：眼の輻輳角、Ｄ：レンズの屈折力、Ａ：両眼の視線が交差する距離を焦点距離とするレンズの屈折力、Ａｄｄ：最適な加入度
このうち、ｌ、ｖ、ｒ、Ｄは既知の量であり、残りの量は未知の量である。
【００１９】
まず、図１より、
【００２０】
【数３】
2007101915.tif 000005
【００２１】
である。レンズのプリズム効果をｐとすると、プレンティスの公式より、
ｐ＝ｈＤ  …(10)
であり、又、
【００２２】
【数４】
2007101915.tif 000006
【００２３】
が得られる。
【００２４】
いま、Ａディオプトリだけ調節したとき、距離ｌで視線が交差（Ａ’がＡに一致）したとすると、
【００２５】
【数５】
2007101915.tif 000007
【００２６】
である。（８）に（１２）を代入すると（１３）が得られ、（９）に（１２）を代入すると（１４）が得られ、（１０）に（１４）を代入すると（１５）が得られる。
が得られる。
【００２７】
【数６】
2007101915.tif 000008
【００２８】
ここで、（１１）に（１５）を代入すると
【００２９】
【数７】
2007101915.tif 000009
【００３０】
（７）に（１３）と（１６）を代入すると、
【００３１】
【数８】
2007101915.tif 000010
【００３２】
（１７）を変形すると
【００３３】
【数９】
2007101915.tif 000011
【００３４】
（１）式の右辺は全て既知の量であるのでａを求めることができ、これよりＡは、
【００３５】
【数１０】
2007101915.tif 000012
【００３６】
として求まる。よって、加入すべき最適加入度は、
【００３７】
【数１１】
2007101915.tif 000013
【００３８】
として、既知の量からの計算により求まることになる。発明者らの実験によれば、この点を中心として、-10％〜+60％の範囲で加入度を変化させても、十分使用に耐えられることが分かった。
【００３９】
度数の加入は、累進面を備えたレンズを用いて行うことが望ましい。累進面を備えたレンズは、遠近両用レンズ等で周知であるが、例えば遠近両用レンズの近視度数を正規度数とし、それに度数加入を行って、眼鏡レンズの下方領域に近距離用領域を作り出しているのと全く同じように、レンズの中央部を正規の度数とし、累進面を使用して度数加入を行って、眼鏡レンズの下方領域に、度数加入がされた領域を作り出せばよい。このようにすると、視野に切れ目のない、使い勝手のよい眼鏡レンズができる。
【００４０】
以上が標準的な度数加入の方法であるが、発明者らの実験によると、眼鏡レンズによるプリズム作用が１プリズム（プリズムディオプトリ）を超えると、目に疲れを覚えるコンタクトレンズ常用者があることが判明した。このような使用者に対しては、眼鏡レンズによるプリズム作用を１プリズム以下に抑える必要がある。また、プリズム作用を0.5プリズム未満とすることは、レンズ加工が困難である。
【００４１】
よってこれらの使用者に対しては、
0.5≦ｐ＝ｈＤ≦１
となるように、度数加入を行うようにした。
【００４２】
【数１２】
2007101915.tif 000014
【００４３】
であり、読書距離を注視するときの輻輳角は
【００４４】
【数１３】
2007101915.tif 000015
【００４５】
である。このときの注視距離ａは、
【００４６】
【数１４】
2007101915.tif 000016
【００４７】
となるから、両眼の視線が交差する距離を焦点距離とするレンズの屈折力Ａは、
【００４８】
【数１５】
2007101915.tif 000017
【００４９】
となる。よって、（１９）より、
【００５０】
【数１６】
2007101915.tif 000018
【００５１】
となり、加入すべき度数Ａｄは、このＡの範囲で、
【００５２】
【数１７】
2007101915.tif 000019
【００５３】
となる
次に、累進面の累進帯長について検討する。累進帯長が長いほど、眼鏡レンズに度数が加入される場所が下方となり、使用時の眼球の旋回量が大きくなる。発明者らが、累進帯長を色々変化させて実験を行ったところ、累進帯長が１２mmを超えると、眼球の旋回量が大きくなり、使用者の目の疲れが大きくなることが分かった。よって、本眼鏡用レンズの累進帯長は、１２mm以下であることが好ましい。
【図面の簡単な説明】
【００５４】
【図１】コンタクトレンズ常用者が、コンタクトレンズと同じ度数の眼鏡を使用して近くの点Ａを注視している場合の光線等の関係を示す図である。
【符号の説明】
【００５５】
ＩＲ…右目、１Ｌ…左目、ＬＲ…右目レンズ、ＬＬ…左目レンズ
【図１】
2007101915.tif 000022